(57)【要約】      （修正有）【課題】ランドセル、リュックサック、ショルダーバッグなどのかばんにあって、ベルトの長さ調整を容易にし、背のうにおいては、装着した状態で背当て部の全体が使用者の背中に接触しやすくし、密着度を高めた良好な装着状態を確保できるように構成し、ショルダーバッグにあっては、使用者の所望する位置に容易に配置可能な留め具を提供する。【解決手段】保持部４０と係合部３０と弾性部材５０とを備え、保持部と係合部とで、長さ調整孔を有するベルトを挟持する留め具２０であって、係合部は、両端部が保持部に設けられた軸部２１を中心として回動可能に支持され、この回動によって、保持部に対して開閉可能とされており、弾性部材は、両端が保持部と係合部にそれぞれ保持され、係合部を保持部に対して閉じるように付勢するものであり、係合部には、保持部と係合部とを閉じたときに、長さ調整孔を貫通可能となるように突出した係合突起３４が設けられている。【選択図】図３
0003230393.tif 000002
【実用新案登録請求の範囲】
【請求項１】
保持部と係合部と弾性部材とを備え、前記保持部と前記係合部とで、長さ調整孔を有するベルトを挟持する留め具であって、
前記係合部は、両端部が前記保持部に設けられた軸部を中心として回動可能に支持され、この回動によって、前記保持部に対して開閉可能とされており、
前記弾性部材は、両端が前記保持部と前記係合部にそれぞれ保持され、前記係合部を前記保持部に対して閉じるように付勢するものであり、
前記係合部には、前記保持部と前記係合部とを閉じたときに、前記長さ調整孔を貫通可能となるように突出した係合突起が設けられていることを特徴とする留め具。
【請求項２】
前記弾性部材は、ねじりコイルばねであって、ばね部の両端の腕部が前記保持部と前記係合部にそれぞれ保持され、前記係合部を前記保持部に対して閉じるように付勢するものであり、
前記ねじりコイルばねの前記ばね部は、前記係合部が前記保持部と対向する側面に凹設された収容部に収容されている請求項１に記載の留め具。
【請求項３】
前記保持部は、前記係合部が閉じたときに、前記長さ調整孔を貫通した前記係合突起が収容される収容孔部を備える請求項１に記載の留め具。
【請求項４】
前記ねじりコイルばねは、前記係合部又は前記保持部において、前記ベルトの幅方向に対応する方向の一方又は両方の側壁部に前記ばね部が収容されている請求項２に記載の留め具。
【請求項５】
前記弾性部材は、板バネであって、前記係合部を前記保持部に対して閉じるように付勢するものである請求項１に記載の留め具。
【請求項６】
前記ベルトを第１ベルトとしたとき、前記保持部には前記第１ベルトとは別個の第２ベルトの端部が固定されており、前記係合突起を複数の前記長さ調整孔のいずれに貫通させるかによって、前記ベルトと前記第２ベルトの全長を変更する請求項３に記載の留め具。
【請求項７】
前記第１ベルトと前記第２ベルトはランドセルの背負いベルトを構成し、前記第１ベルトの一方の端部は前記ランドセルの背当て部の上部に固定され、前記第２ベルトの一方の端部は前記ランドセルの底面に固定される請求項６に記載の留め具。
【考案の詳細な説明】
【技術分野】
【０００１】
本考案は、ランドセル、リュックサック、ショルダーバッグその他のかばんのベルトにおいて長さ調整を可能とする留め具に関する。
【背景技術】
【０００２】
ランドセル、リュックサックなどの背のうには、様々な形状や構造のものが存在するが、その多くは、使用者の背中に接して支持される背当て部を備えるとともに、使用者の背中に背負われて内部に収納部を備えてなる背のう部本体と、使用者の左右の肩部に該背のう部本体を背負わせるべく掛け回され、背のう部本体の背当て部上方にその上端部が支持され、背のう部本体の背当て部下方にその下端部側が支持される左右一対の各背負いベルトと、を備えている。
【０００３】
左右一対の各背負いベルトは、背のう部本体の背当て部の上側に備えられる連結体にその上端部が結合されており、一方、背のう部本体の背当て部の下方側に支持される下端側は、その長さを調整可能に連結される。
【０００４】
背負いベルトの中には、特許文献１に示すように、背のう部本体の背当て部の上側に備えられる連結体にその上端部を結合してなる上ベルトと、背のう部本体の背当て部の下方側に支持され、該下方側から延びる下ベルトとにより構成され、上ベルトの下端と下ベルトの上端とは掛け回す肩部のサイズに対応し、その結合位置を可変にし、長さ調整可能に相互に連結可能とされたものがある。こうした構成からなる背負いベルトは、上ベルトの下端と、下ベルトの上端との連結を、上ベルトの下端あるいは下ベルトの上端のいずれかに他のベルトの端部を挿通可能とするバックル状の連結環を支持させ、この連結環が支持されたベルトに対する他方のベルトの端部にはその長さ方向において所定間隔をもって複数の止着孔を穿設し、他方のベルトを連結環に挿通させて連結環に支持される止着針を任意の長さ位置にある止着孔に止着して行うようにしている。これにより連結環に挿通される他のベルトの端部の連結環に対する止着結合位置を可変にし、上下のベルトを長さ調整可能に相互に連結させることを可能にしている。
【先行技術文献】
【特許文献】
【０００５】
【特許文献１】実用新案登録３１３３３９９号公報
【考案の概要】
【考案が解決しようとする課題】
【０００６】
背のうにおいて、背負いベルトの全体長さが長くなると、背当て部の上方位置が人の背中から離れる方向の力が作用しやすくなる。この現象は背のう部本体の収納部内に高荷重の物を収納したり、また収納部の底の方に重い物を収納させる場合に顕著に現れやすい。このため、背負いベルトの全体長さをできる限り短く設定して、背のう部本体の背当て部全体が使用者の背中に密着状態で接するようにすることが好ましい。
【０００７】
上記特許文献１に記載のランドセルで使用される従来の背負いベルトは、上ベルトの下端と下ベルトの上端との止着結合位置を調整することで、背のう部本体に対する背負いベルトの全体長さを可変に調整することを可能としているが、いったん背のうを背負った後には、上ベルトと下ベルトの結合位置を変更して長さ調整を行うことは難しかった。このため、背のう部本体を背負う際に、使用者の肩部に対する背負いベルトの掛け回し操作を容易にするために背負いベルトを長めに設定すると、背負った後に長さを調整することができないことから、使用者の背中に対する密着性の確保が難しくなるという問題があった。
【０００８】
ショルダーバッグについても、いったん肩に掛けた後には、ベルトの結合位置を変更して長さ調整を行うことは容易ではなかった。これに対して、肩に掛ける際に、使用者の肩部に対する掛け回し操作を容易にするためにベルトを長めに設定すると、肩に掛けた後に長さを調整することが難しいことから、使用者の体に対して低い位置に配置されてしまい、歩行その他の動作の際の障害となり、また、使用者の希望する体裁を得ることが難しくなるという問題があった。
【０００９】
本考案は、こうした従来の不具合に着目してなされたものであり、ランドセル、リュックサック、ショルダーバッグなどのかばんにあって、ベルトの長さ調整を容易にし、背のうにおいては、装着した状態で背当て部の全体が使用者の背中に接触しやすくし、密着度を高めた良好な装着状態を確保できるように構成し、ショルダーバッグにあっては、使用者の所望する位置に容易に配置可能とすることを目的としている。
【課題を解決するための手段】
【００１０】
上記課題を解決するために、本考案の留め具は、保持部と係合部と弾性部材とを備え、保持部と係合部とで、長さ調整孔を有するベルトを挟持する留め具であって、係合部は、両端部が保持部に設けられた軸部を中心として回動可能に支持され、この回動によって、保持部に対して開閉可能とされており、弾性部材は、両端が保持部と係合部にそれぞれ保持され、係合部を保持部に対して閉じるように付勢するものであり、係合部には、保持部と係合部とを閉じたときに、長さ調整孔を貫通可能となるように突出した係合突起が設けられていることを特徴としている。
【００１１】
本考案の留め具において、弾性部材は、ねじりコイルばねであって、ばね部の両端の腕部が保持部と係合部にそれぞれ保持され、係合部を保持部に対して閉じるように付勢するものであり、ねじりコイルばねのばね部は、係合部が保持部と対向する側面に凹設された収容部に収容されていることが好ましい。
【００１２】
本考案の留め具において、保持部は、係合部が閉じたときに、長さ調整孔を貫通した係合突起が収容される収容孔部を備えることが好ましい。
【００１３】
本考案の留め具において、ねじりコイルばねは、係合部又は保持部において、ベルトの幅方向に対応する方向の一方又は両方の側壁部にばね部が収容されていることが好ましい。
【００１４】
本考案の留め具において、弾性部材は、板バネであって、係合部を保持部に対して閉じるように付勢するものであることが好ましい。
【００１５】
本考案の留め具において、上記ベルトを第１ベルトとしたとき、保持部には第１ベルトとは別個の第２ベルトの端部が固定されており、係合突起を複数の長さ調整孔のいずれに貫通させるかによって、ベルトと第２ベルトの全長を変更することが好ましい。
【００１６】
本考案の留め具において、第１ベルトと第２ベルトはランドセルの背負いベルトを構成し、第１ベルトの一方の端部はランドセルの背当て部の上部に固定され、第２ベルトの一方の端部はランドセルの底面に固定されることが好ましい。
【考案の効果】
【００１７】
本考案によると、簡単な構成により、ランドセル、リュックサック、ショルダーバッグなどのかばんにあって、ベルトの長さ調整を容易にし、背のうにおいては、装着した状態で背当て部の全体が使用者の背中に接触しやすくし、密着度を高めた良好な装着状態を確保できるように構成し、ショルダーバッグにあっては、使用者の所望する位置に容易に配置可能とするものである。
【図面の簡単な説明】
【００１８】
【図１】本考案の実施形態におけるランドセルの構成を示す斜視図である。
【図２】（ａ）は本考案の実施形態に係る留め具が閉じた状態を示す斜視図、（ｂ）は（ａ）の留め具が開いた状態を示す斜視図である。
【図３】（ａ）は本考案の実施形態に係る留め具の構成を示す斜視図、（ｂ）は（ａ）の留め具の分解斜視図である。
【図４】（ａ）は本考案の実施形態に係る留め具が閉じた状態を示す一部断面図、（ｂ）は（ａ）の留め具が開いた状態を示す一部断面図である。
【考案を実施するための形態】
【００１９】
以下、本考案の実施形態に係る留め具を、ランドセルの背負いベルトに適用した形態について、図面を参照しつつ詳しく説明する。なお、本考案の留め具は、ランドセルに限定されず、例えばリュックサックその他の背負い鞄（背のう）の背負いベルトや、ショルダーバッグの肩掛けベルトにも適用可能である。
【００２０】
図１は、本実施形態に係る留め具２０を備えたランドセル１０の全体斜視図、図２（ａ）は本実施形態に係る留め具２０が閉じた状態を示す斜視図、（ｂ）は留め具２０が開いた状態を示す斜視図である。図３（ａ）は留め具２０の構成を示す斜視図、（ｂ）は留め具２０の分解斜視図である。図４（ａ）、（ｂ）は、留め具２０が閉じた状態（図４（ａ））と開いた状態（図４（ｂ））における、係合部３０と上ベルト１６の関係を示す一部断面図であり、係合部３０を側面から見るとともに、保持部４０を仮想的に示している。図４（ａ）、（ｂ）で下ベルト１７の図示は省略している。
【００２１】
図２〜図４には、互いに直交する３つの座標軸を表示しており、それぞれ、第１方向Ｄ１、第２方向Ｄ２、及び、第３方向Ｄ３を示している。図２（ａ）、（ｂ）と図４（ａ）、（ｂ）では、上ベルト１６の幅方向、長手方向、及び、厚み方向を、第１方向Ｄ１、第２方向Ｄ２、及び、第３方向Ｄ３にそれぞれ対応するように示しており、図３（ａ）、（ｂ）は、図２（ａ）、（ｂ）に対応するように留め具２０を示している。
【００２２】
背のうとしてのランドセル１０は背のう部本体１３を有し、この背のう部本体１３は、使用者の背中に密着状態で接し、支持する平板状の背当て部１１と、使用者の背中に背負われて内部に収納部１２とを備える。
【００２３】
全体として箱状をなす背のう部本体１３は、蓋板１４を開くことで内部の収納部１２を上部に開口することを可能とし、収納部１２内に教科書や学用品などを収納可能にしている。ランドセル１０は、左右一対の各背負いベルト１５を備え、これらの背負いベルト１５は、使用者の左右の肩部に背のう部本体１３を背負わせるべく掛け回され、背のう部本体１３の背当て部１１の上方にその上端部が支持され、背のう部本体１３の背当て部１１の下端部側で支持される。
【００２４】
左右の各背負いベルト１５は、背のう部本体１３の背当て部１１の上側に備えられる連結体１８にその上端部を結着してなる上ベルト１６と、背のう部本体１３の背当て部１１の下部に下端部が支持される下ベルト１７とからなる。上ベルト１６と下ベルト１７とは、留め具２０を用いた調整により、掛け回す使用者の肩部のサイズに対応し、その結合位置を可変にし、長さ調整可能に相互に連結可能とされる。
【００２５】
上ベルト１６（第１ベルト）は、上述のように背のう部本体１３の背当て部１１の上側に配設され、支持される連結体１８に、その上端部が連結されて結合してなる。左右に備えられる各連結体１８は背当て部１１の上側中心を基準としてそれぞれ前方（ランドセル１０全体において背当て部１１側）に向くように備えられる。
【００２６】
図２〜図４に示すように、留め具２０は、係合部３０と、保持部４０と、弾性部材としてのねじりコイルばね５０とを備える。図２に示すように、留め具２０には、上ベルト１６が挿通・挟持されるとともに、下ベルト１７（第２ベルト）の端部が、保持部４０の本体部４４に設けられた連結孔４５に固定されている。上ベルト１６には、その幅方向（第１方向Ｄ１）の中央の位置において、長手方向（第２方向Ｄ２）において一定の間隔ごとに、厚み方向に貫通させた複数の長さ調整孔１６ａが設けられている。上ベルト１６は、第２方向Ｄ２に沿って、留め具２０に挿通されている。
【００２７】
留め具２０は、ランドセル１０全体の重量や重量バランスなどを鑑みて、十分な耐久性・剛性を有する材料で構成することが好ましく、例えばアルミニウムなどの軽量の金属や硬性の樹脂を用いることができる。
【００２８】
図３（ａ）、（ｂ）に示すように、係合部３０の幅方向（第１方向Ｄ１）の両端には２つの側壁部３１、３２が設けられている。一方の側壁部３２（図３（ｂ）の手前側の側壁部）には、ねじりコイルばね５０のばね部５０ａと、ばね部５０ａの両端から延びる２本の腕部の一方の腕部５０ｂとを収容可能な収容部３３が凹設されている。ねじりコイルばね５０は、収容部３３に収容されたときに、ばね部５０ａの他方の腕部５０ｃが幅方向（第１方向Ｄ１）に沿って外側へ延出する。
【００２９】
収容部３３内には、幅方向（第１方向Ｄ１）に沿って、係合部３０を貫通する貫通孔３３ａが設けられている。この貫通孔３３ａは、２つの側壁部３１、３２の一方から他方へ貫通形成されている。係合部３０には、上ベルト１６の長手方向（第２方向Ｄ２）に沿って延びる係合突起３４が設けられている。
【００３０】
保持部４０の本体部４４の幅方向（第１方向Ｄ１）の両端にも２つの側壁部４１、４２が設けられている。これらの側壁部４１、４２には、幅方向（第１方向Ｄ１）に沿って厚み方向に貫通する貫通孔４１ａ、４２ａがそれぞれ形成されている。これらの貫通孔４１ａ、４２ａは、幅方向（第１方向Ｄ１）に沿った１つの直線上に設けられている。
【００３１】
保持部４０の一方の側壁部４１（第１側壁部）と係合部３０の一方の側壁部３１（第１側壁部）とを、幅方向（第１方向Ｄ１）において互いに対向させ、かつ、保持部４０の他方の側壁部４２（第２側壁部）と係合部３０の他方の側壁部３２（第２側壁部）とを、幅方向（第１方向Ｄ１）において対向させて互いに配置させると、保持部４０の貫通孔４１ａ、４２ａと係合部３０の貫通孔３３ａが幅方向（第１方向Ｄ１）において一つの直線上に配置される。このように配置された、貫通孔４１ａ、４２ａ、３３ａに対して、軸部としてのピン２１を挿入すると、係合部３０は、保持部４０に対して、ピン２１を中心として回動可能な状態となる。
【００３２】
保持部４０の本体部４４には、２つの側壁部４１、４２の間において、厚み方向（第３方向Ｄ３）に貫通する収容孔部４３ａが形成されている。
【００３３】
図３（ｂ）、図４（ａ）、（ｂ）に示すように、ねじりコイルばね５０は、ばね部５０ａと第１腕部５０ｂが、係合部３０の側壁部３２に設けられた収容部３３内に収容されている。ばね部５０ａは、第１方向Ｄ１に沿った中心軸（不図示）を中心として巻回されており、第１腕部５０ｂは、第１方向Ｄ１に直交する面内で直線状に延伸している。
【００３４】
図３（ｂ）に示すように、収容部３３は、第１方向Ｄ１に沿って見たときにばね部５０ａと第１腕部５０ｂに対応する形状を有している。このため、収容部３３内に収容されたねじりコイルばね５０は、第１方向Ｄ１に直交する面内の変形が規制される。
【００３５】
収容部３３に収容されたねじりコイルばね５０の第２腕部５０ｃは、第１方向Ｄ１に沿って延伸し、収容部３３の外側へ延出しており、保持部４０の第１側壁部４１に設けた保持孔（不図示）内に挿通され、固定又は掛止されている。係合部３０と保持部４０を互いに係合させたとき、係合部３０の第２側壁部３２と保持部４０の第２側壁部４２は互いに近接して対向しているため、ねじりコイルばね５０は係合部３０の収容部３３内に確実に保持される。
【００３６】
このようにねじりコイルばね５０が収容部３３内に保持されているため、ねじりコイルばね５０の弾性によって、係合部３０は保持部４０に対して閉じるように付勢される。
【００３７】
以上の構成において、操作片３５を操作することによって、係合部３０を、ピン２１を中心とした回動させると、保持部４０に対して開閉することが可能となる。回動は、使用者が、係合部３０において前後（第２方向Ｄ２）に延びる板状の操作片３５を挟み持って操作することによって行う。
【００３８】
図４（ａ）に示す閉状態では、係合部３０の係合突起３４は、上ベルト１６の長さ調整孔１６ａを貫通して、先端部が保持部４０の収容孔部４３ａ内に挿入されている。このとき、上ベルト１６は、係合部３０の底面と保持部４０の本体部４４とで挟持されることで長手方向（第２方向Ｄ２）に沿った移動が規制される。さらに、係合突起３４が長さ調整孔１６ａに挿入され、かつ、保持部４０の収容孔部４３ａに保持されることで、留め具２０に対して位置決めされる。したがって、上ベルト１６と下ベルト１７から構成される背負いベルト１５の全体の長さが固定される。
【００３９】
一方、図４（ｂ）に示す開状態では、係合部３０の係合突起３４は、上ベルト１６の長さ調整孔１６ａ、及び、保持部４０の収容孔部４３ａの外部に位置しており、上ベルト１６は、係合部３０と保持部４０とによる挟持から解放され、長手方向（第２方向Ｄ２）に沿って移動可能な状態となっている。したがって、使用者が背負いベルト１５を操作することにより、留め具２０に対する上ベルト１６の位置を変更可能な状態にあり、これによって、背負いベルト１５の全体の長さを調整可能となっている。
【００４０】
以上のように構成されたことから、上記実施形態の留め具によれば、ランドセル、リュックサック、ショルダーバッグなどのかばんにあって、ベルトの長さ調整を容易にすることができる。そして、背のうにおいては、装着した状態で背当て部の全体が使用者の背中に接触しやすくし、密着度を高めた良好な装着状態を確保できるように構成できる。また、ショルダーバッグにあっては、使用者の所望する位置に容易に配置可能とすることができる。
【００４１】
以下に変形例について説明する。
上記実施形態では、ねじりコイルばね５０を係合部３０の一方の側壁部３２（第２側壁部）に収容させたが、これに代えて、又は、これに加えて、他方の側壁部３１（第１側壁部）に収容させてもよい。また、ねじりコイルばね５０は、係合部３０ではなく、保持部４０側の側壁部に収容させてもよい。
【００４２】
係合部３０を保持部４０に対して開閉するための弾性力を与える弾性部材としては、係合部３０を閉じる方向に付勢することができれば、ねじりコイルばね５０以外の部材、例えば、板バネを用いることもできる。
本考案について上記実施形態を参照しつつ説明したが、本考案は上記実施形態に限定されるものではなく、改良の目的または本考案の思想の範囲内において改良または変更が可能である。
【符号の説明】
【００４３】
１０    ランドセル（背のう）
１１    背当て部
１２    収納部
１３    背のう部本体
１４    蓋板
１５    ベルト
１６    上ベルト（第１ベルト）
１７    下ベルト（第２ベルト）
１８    連結体
２０    留め具
２１    ピン（軸部）
３０    係合部
３１、３２  側壁部
３３    収容部
３３ａ  貫通孔
３４    係合突起
３５    操作片
４０    保持部
４１、４２  側壁部
４１ａ、４２ａ  貫通孔
４３ａ  収容孔部
４４    本体部
４５    連結孔
５０    ねじりコイルばね（弾性部材）
５０ａ  ばね部
５０ｂ  第１腕部
５０ｃ  第２腕部
Ｄ１    第１方向（幅方向）
Ｄ２    第２方向（長手方向）
Ｄ３    第３方向（厚み方向）
【図１】
0003230393.tif 000003
【図２】
0003230393.tif 000004
【図３】
0003230393.tif 000005
【図４】
0003230393.tif 000006